(57)【要約】【課題】プロジェクターの各種設定をより簡単に復元することが可能なプロジェクター、プロジェクターシステム、及びプロジェクターの制御方法を提供する。【解決手段】リモコンによってオン操作がなされた場合には、制御部２０は、オン操作時に受信部２３が受信したリモコン信号に基づいて、オン操作を行ったリモコンの識別情報を認識する。そして、制御部２０は、記憶部２１に登録されている設定情報の中から、認識した識別情報に対応する設定情報を読み出す。その後、制御部２０は、読み出した設定情報に基づいてプロジェクター１を設定する。つまり、制御部２０は、設定情報を記憶部２１に登録したときのプロジェクター１の状態を復元する。【選択図】図４
2011203517.tif 000002
【特許請求の範囲】
【請求項１】
画像を投写するプロジェクターであって、
前記プロジェクターの設定情報を記憶する記憶部と、
前記プロジェクターを遠隔操作するためのリモコンから、操作内容を表す操作情報とともに、前記リモコンを識別するための識別情報を受信する受信部と、
前記記憶部に記憶されている前記設定情報のうち、前記受信部が受信した前記識別情報に対応する設定情報に基づいて、前記プロジェクターの設定を行う設定部と、
を備えたことを特徴とするプロジェクター。
【請求項２】
請求項１に記載のプロジェクターであって、
前記設定情報を、前記識別情報に対応付けて前記記憶部に記憶させる登録部をさらに備えたことを特徴とするプロジェクター。
【請求項３】
請求項１又は２に記載のプロジェクターであって、
前記設定情報は、前記画像の画質を調整するための情報を含んでいることを特徴とするプロジェクター。
【請求項４】
請求項１又は２に記載のプロジェクターであって、
前記設定情報は、前記画像のフォーカス状態を調整するための情報を含んでいることを特徴とするプロジェクター。
【請求項５】
請求項１又は２に記載のプロジェクターであって、
前記設定情報は、前記画像のズーム状態を調整するための情報を含んでいることを特徴とするプロジェクター。
【請求項６】
請求項１又は２に記載のプロジェクターであって、
前記設定情報は、前記画像の台形歪を補正するための情報を含んでいることを特徴とするプロジェクター。
【請求項７】
請求項１又は２に記載のプロジェクターであって、
前記設定情報は、前記画像の投写位置を調整するための情報を含んでいることを特徴とするプロジェクター。
【請求項８】
画像を投写するプロジェクターと、前記プロジェクターを遠隔操作するためのリモコンとを有するプロジェクターシステムであって、
前記リモコンは、操作内容を表す操作情報とともに、当該リモコンを識別するための識別情報を前記プロジェクターに送信し、
前記プロジェクターは、
前記リモコンから、前記操作情報及び前記識別情報を受信する受信部と、
前記プロジェクターの設定情報を記憶する記憶部と、
前記記憶部に記憶されている前記設定情報のうち、前記受信部が受信した前記識別情報に対応する設定情報に基づいて、前記プロジェクターの設定を行う設定部と、
を備えたことを特徴とするプロジェクターシステム。
【請求項９】
画像を投写するプロジェクターの制御方法であって、
前記プロジェクターを遠隔操作するためのリモコンから、操作内容を表す操作情報とともに、前記リモコンを識別するための識別情報を受信する受信ステップと、
前記プロジェクターが記憶している設定情報のうち、前記受信ステップで受信した前記識別情報に対応する設定情報に基づいて、前記プロジェクターの設定を行う設定ステップと、
を備えたことを特徴とするプロジェクターの制御方法。
【発明の詳細な説明】
【技術分野】
【０００１】
本発明は、プロジェクター、プロジェクターシステム、及びプロジェクターの制御方法に関する。
【背景技術】
【０００２】
画像を投写するプロジェクターの多くは、画像の画質やズーム状態等の設定を変更することが可能になっており、ユーザーは、これらの設定を、使用する場所（部屋）の広さや明るさ等に応じて適宜調整することができる。しかしながら、１つのプロジェクターを様々な場所に持ち運んで使用する態様では、場所が変わる度に調整し直さなければならず、その作業が煩雑であった。
【０００３】
特許文献１には、各種設定値等からなる複数のパラメーターセットをメモリーに記憶（登録）させることが可能であるとともに、リモコンに備わる所定のキーを操作することによって、登録された複数のパラメーターセットの中から所望のパラメーターセットを選択することが可能なプロジェクターが提案されている。このプロジェクターによれば、プロジェクターを使用する場所毎に適切なパラメーターセットを登録しておけば、比較的簡単な操作で設定を復元することが可能となる。
【先行技術文献】
【特許文献】
【０００４】
【特許文献１】特開２００３−２９５３２１号公報
【発明の概要】
【発明が解決しようとする課題】
【０００５】
しかしながら、特許文献１に記載のプロジェクターでは、登録されている複数のパラメーターセットのうち、どのパラメーターセットがどの場所に適するのかをユーザーが覚えていなければならないため、パラメーターセットを選択する際にユーザーが迷ってしまうことが起こり得る。このため、プロジェクターの各種設定をより簡単に復元することが可能なプロジェクターが望まれている。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクターは、画像を投写するプロジェクターであって、前記プロジェクターの設定情報を記憶する記憶部と、前記プロジェクターを遠隔操作するためのリモコンから、操作内容を表す操作情報とともに、前記リモコンを識別するための識別情報を受信する受信部と、前記記憶部に記憶されている前記設定情報のうち、前記受信部が受信した前記識別情報に対応する設定情報に基づいて、前記プロジェクターの設定を行う設定部と、を備えたことを特徴とする。
【０００８】
このプロジェクターによれば、設定部は、記憶部に記憶されている設定情報のうち、受信部が受信した識別情報に対応する設定情報に基づいて、プロジェクターの設定を行う。このため、１つのプロジェクターを複数の場所で使用する態様において、使用する場所毎に識別情報が異なるリモコンを用意しておけば、それぞれの場所に適した設定を容易に復元することが可能になる。
【０００９】
［適用例２］上記適用例に係るプロジェクターにおいて、前記設定情報を、前記識別情報に対応付けて前記記憶部に記憶させる登録部をさらに備えるようにしてもよい。
【００１０】
［適用例３］上記適用例に係るプロジェクターにおいて、前記設定情報は、前記画像の画質を調整するための情報を含んでいてもよい。
【００１１】
［適用例４］上記適用例に係るプロジェクターにおいて、前記設定情報は、前記画像のフォーカス状態を調整するための情報を含んでいてもよい。
【００１２】
［適用例５］上記適用例に係るプロジェクターにおいて、前記設定情報は、前記画像のズーム状態を調整するための情報を含んでいてもよい。
【００１３】
［適用例６］上記適用例に係るプロジェクターにおいて、前記設定情報は、前記画像の台形歪を補正するための情報を含んでいてもよい。
【００１４】
［適用例７］上記適用例に係るプロジェクターにおいて、前記設定情報は、前記画像の投写位置を調整するための情報を含んでいてもよい。
【００１５】
［適用例８］本適用例に係るプロジェクターシステムは、画像を投写するプロジェクターと、前記プロジェクターを遠隔操作するためのリモコンとを有するプロジェクターシステムであって、前記リモコンは、操作内容を表す操作情報とともに、当該リモコンを識別するための識別情報を前記プロジェクターに送信し、前記プロジェクターは、前記リモコンから、前記操作情報及び前記識別情報を受信する受信部と、前記プロジェクターの設定情報を記憶する記憶部と、前記記憶部に記憶されている前記設定情報のうち、前記受信部が受信した前記識別情報に対応する設定情報に基づいて、前記プロジェクターの設定を行う設定部と、を備えたことを特徴とする。
【００１６】
このプロジェクターシステムによれば、プロジェクターの設定部は、記憶部に記憶されている設定情報のうち、受信部がリモコンから受信した識別情報に対応する設定情報に基づいて、プロジェクターの設定を行う。このため、１つのプロジェクターを複数の場所で使用する態様において、使用する場所毎に識別情報が異なるリモコンを用意しておけば、それぞれの場所に適した設定を容易に復元することが可能になる。
【００１７】
［適用例９］本適用例に係るプロジェクターの制御方法は、画像を投写するプロジェクターの制御方法であって、前記プロジェクターを遠隔操作するためのリモコンから、操作内容を表す操作情報とともに、前記リモコンを識別するための識別情報を受信する受信ステップと、前記プロジェクターが記憶している設定情報のうち、前記受信ステップで受信した前記識別情報に対応する設定情報に基づいて、前記プロジェクターの設定を行う設定ステップと、を備えたことを特徴とする。
【００１８】
このプロジェクターの制御方法によれば、プロジェクターに記憶されている設定情報のうち、リモコンから受信した識別情報に対応する設定情報に基づいて、プロジェクターの設定を行う。このため、１つのプロジェクターを複数の場所で使用する態様において、使用する場所毎に識別情報が異なるリモコンを用意しておけば、それぞれの場所に適した設定を容易に復元することが可能になる。
【図面の簡単な説明】
【００１９】
【図１】プロジェクターを示す斜視図であり、（ａ）は、前方から見た図、（ｂ）は、後方から見た図。
【図２】リモコンの平面図。
【図３】リモコンの概略構成を示すブロック図。
【図４】プロジェクターの概略構成を示すブロック図。
【図５】プロジェクターの操作パネルを示す平面図。
【図６】メニュー画像を示す説明図。
【図７】カラーモード選択画像を示す説明図。
【図８】数値調整画像を示す説明図。
【図９】メモリー登録選択画像を示す説明図。
【図１０】スタンバイ状態におけるプロジェクターの動作を説明するフローチャート。
【発明を実施するための形態】
【００２０】
以下、本実施形態のプロジェクターについて、図面を参照して説明する。
図１は、本実施形態のプロジェクターを示す斜視図であり、（ａ）は、前方から見た図、（ｂ）は、後方から見た図である。
図１（ａ）、（ｂ）に示すように、プロジェクター１は、装置本体を収容する筐体２を備えて構成されており、筐体２の上面２ｔには、ユーザーにより入力操作が行われる操作パネル２２が配置されている。筐体２の背面２ｒには、複数の入力端子を備えた画像情報入力部２４が設けられており、画像情報入力部２４には、図示しない外部の画像供給装置から画像情報が入力される。筐体２の前面２ｆには、投写レンズ１３を露出させるための開口部３が形成されており、この投写レンズ１３から、画像情報に基づく画像が前方の投写面Ｓに投写される。
【００２１】
筐体２の底面には、前方に１つと後方に２つの脚部（フット４）が設けられている。このうち、前方の脚部（フロントフット４ａ）は、筐体２の底面から突出する長さ（突出量）を調整可能になっており、フロントフット４ａの突出量を最短にすると、プロジェクター１は、設置面と略平行な姿勢になる。そして、フロントフット４ａの突出量を長くするほど、筐体２の前面２ｆ側が持ち上がるようにプロジェクター１が傾き、画像の投写位置がより上方に移動する。また、筐体２の前面２ｆ及び背面２ｒには、リモコン５０から送信されるリモコン信号を受信するための受信部２３が備えられており、ユーザーは、リモコン５０によってプロジェクター１を遠隔操作することが可能になっている。
【００２２】
本実施形態のプロジェクター１は、小型、軽量で可搬性が高く、様々な場所（部屋）に持ち運んで利用される。また、本実施形態では、１台のプロジェクター１に対して、複数のリモコン５０が利用可能になっており、リモコン５０は、プロジェクター１を利用する場所（部屋）に１つずつ配置される。このため、プロジェクター１の利用場所を変える場合でも、ユーザーは、リモコン５０を持ち運ぶ必要がない。
【００２３】
図２は、リモコン５０の平面図であり、図３は、リモコン５０の概略構成を示すブロック図である。
図２に示すように、リモコン５０は、筐体５１で覆われた構成を有しており、その表面には、ユーザーの入力操作を受け付ける複数の操作キーが配置されている。リモコン５０が備える操作キーには、電源キー５２、入力切替キー５３、画質調整キー５４、上下左右に対応する４つの方向キー５５、決定キー５６、取消キー５７、「０」〜「９」の各数字に対応する１０個の数字キー５８、台形補正キー５９、フォーカス調整キー６０、ズーム調整キー６１、フット調整キー６２、設定キー６３等が含まれている。
【００２４】
また、図３に示すように、リモコン５０は、制御部７０、記憶部７１、入力検出部７２、送信部７３を備えており、これらは、筐体５１の内部に収容されている。
【００２５】
制御部７０は、ＣＰＵ（Central Processing Unit）等からなり、記憶部７１に記憶されている制御プログラムに従って動作することによりリモコン５０の動作を制御する。記憶部７１は、ＲＯＭ（Read Only Memory）やＲＡＭ（Random Access Memory）等のメモリーにより構成され、リモコン５０の動作を制御するための制御プログラムや各種データ等を記憶する。本実施形態の記憶部７１には、識別情報記憶部７１ａが含まれており、識別情報記憶部７１ａには、複数のリモコン５０を識別するための識別情報、即ち各リモコン５０に固有の識別情報が記憶されている。
【００２６】
本実施形態の識別情報記憶部７１ａには、識別情報として、一桁の数字（「０」〜「９」）のいずれか１つが記憶され、最大で１０個のリモコン５０を識別可能になっている。また、この識別情報は、ユーザーによって変更可能になっており、設定キー６３と、いずれか１つの数字キー５８とを同時に操作（押下）することにより、識別情報記憶部７１ａに記憶されている識別情報を、操作した数字キーに対応する数字に変更することができる。
【００２７】
入力検出部７２は、各操作キーが操作（押下）されたことを検出して、操作された操作キーに対応する検出信号を制御部７０に出力する。制御部７０は、入力検出部７２から検出信号が入力されると、この検出信号に基づいて、操作された操作キーに対応する操作情報、即ちユーザーの操作内容を表す操作情報を生成する。そして、制御部７０は、生成した操作情報に、識別情報記憶部７１ａに記憶されている識別情報を付加し、送信部７３に出力する。
【００２８】
送信部７３は、赤外線通信用のエンコーダーや赤外線発光装置（いずれも図示せず）等で構成され、制御部７０から入力される操作情報及び識別情報をエンコーダーで変調し、赤外線発光装置により赤外線の点滅信号（リモコン信号）として外部に送信する。
【００２９】
リモコン５０は、上記のように構成されているため、ユーザーが操作キーを操作すると、リモコン５０は、この操作キーに対応する操作情報と、リモコン５０を識別するための識別情報とを含んだリモコン信号を送信部７３から送信する。例えば、ユーザーがリモコン５０の電源キー５２を操作した場合には、リモコン５０は、プロジェクター１の電源のオンとオフとを切り替えるための操作情報と、一桁の数字からなる識別情報とを含んだリモコン信号を送信する。
【００３０】
次に、プロジェクター１の構成について説明する。
図４は、プロジェクター１の概略構成を示すブロック図であり、図５は、プロジェクター１の操作パネル２２を示す平面図である。
図４に示すように、プロジェクター１は、画像投写部１０、制御部２０、記憶部２１、操作パネル２２、受信部２３、画像情報入力部２４、画像処理部２５、ＯＳＤ処理部２６、画像補正部２７、液晶駆動部２８、電源回路２９、光源制御部３０、レンズ駆動部３１、レンズ検出部３２、フット駆動部３３、フット検出部３４等を備えており、これらは、筐体２の内部に収容されている。
【００３１】
画像投写部１０は、光源としての光源装置１１、光変調装置としての３つの液晶ライトバルブ１２Ｒ，１２Ｇ，１２Ｂ、投写光学系としての投写レンズ１３等で構成されている。画像投写部１０は、表示部に相当するものであり、光源装置１１から射出された光を、液晶ライトバルブ１２Ｒ，１２Ｇ，１２Ｂで変調して画像を形成し、この画像を投写レンズ１３から投写して投写面Ｓに表示する。
【００３２】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された画素領域１２ａを備えており、液晶に対して画素毎に駆動電圧を印加可能になっている。液晶駆動部２８が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域１２ａを透過することによって変調され、画像情報に応じた画像が色光毎に形成される。形成された各色の画像は、図示しない色合成光学系によって画素毎に合成されてカラー画像となった後、投写レンズ１３によって拡大投写される。
【００３４】
投写レンズ１３は、複数のレンズ群を備えて構成されており、投写される画像（投写画像）のフォーカス状態を調整するためのフォーカス調整機構（図示せず）、及び投写画像のズーム状態を調整するためのズーム調整機構（図示せず）を備えている。
【００３５】
制御部２０は、ＣＰＵ２０ａや、各種データ等の一時記憶に用いられるＲＡＭ２０ｂ等を備え、記憶部２１に記憶されている制御プログラムに従ってＣＰＵ２０ａが動作することによりプロジェクター１の動作を制御する。つまり、制御部２０は、記憶部２１とともにコンピューターとして機能する。
【００３６】
記憶部２１は、フラッシュメモリーや、マスクＲＯＭ、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３７】
操作パネル２２は、ユーザーからの入力操作を受け付ける入力操作部に相当するものであり、ユーザーがプロジェクター１に対して各種指示を行うための複数の操作キーを備えている。図５に示すように、本実施形態の操作パネル２２には、電源キー４１、入力切替キー４２、画質調整キー４３、上下左右に対応する４つの方向キー４４、決定キー４５、取消キー４６、台形補正キー４７等の操作キーが含まれている。ユーザーが操作パネル２２の各種操作キーを操作すると、操作パネル２２は、操作された操作キーに対応する制御信号を制御部２０に出力する。そして、制御部２０は、操作パネル２２から制御信号が入力されると、プロジェクター１の動作を制御して、入力された制御信号に基づく処理を行う。
【００３８】
受信部２３は、リモコン５０から赤外線の点滅信号として送信されるリモコン信号を受信して制御部２０に伝達するものであり、受光装置やデコーダー（いずれも図示せず）等で構成されている。受信部２３は、リモコン５０から送信されるリモコン信号を受光装置によって受光し、これを電気信号に変換する。そして、デコーダーによって復調した後、操作情報と識別情報とに分離して、これらを制御部２０に出力する。制御部２０は、受信部２３から操作情報及び識別情報が入力されると、これらをＲＡＭ２０ｂに一時的に記憶するとともに、プロジェクター１の動作を制御して、入力された操作情報に基づく処理を行う。
【００３９】
画像情報入力部２４は、上述したように、複数の入力端子を備えており、これらの入力端子には、ビデオ再生装置やパーソナルコンピューター等、図示しない外部の画像供給装置から各種形式の画像情報が入力される。画像情報入力部２４は、入力された画像情報を画像処理部２５に出力する。
【００４０】
画像処理部２５は、画像情報入力部２４から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部２５は、制御部２０の指示に基づいて、変換した画像情報に対して、明るさ、コントラスト、シャープネス、色合い等の画質を調整するための画質調整処理等を行い、処理後の画像情報をＯＳＤ処理部２６に出力する。
【００４１】
ＯＳＤ処理部２６は、制御部２０の指示に基づいて、画像情報入力部２４に入力された画像情報に基づく画像（以降、「入力画像」と呼ぶ。）上に、メニュー画像やメッセージ画像等のＯＳＤ（オンスクリーンディスプレイ）画像を重畳するための処理を行う。ＯＳＤ処理部２６は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部２６は、必要なＯＳＤ画像情報をＯＳＤメモリーから読み出し、入力画像上の所定の位置にＯＳＤ画像が重畳されるように、画像処理部２５から入力される画像情報にこのＯＳＤ画像情報を合成する。ＯＳＤ画像情報が合成された画像情報は、画像補正部２７に出力される。なお、制御部２０からＯＳＤ画像を重畳する旨の指示がない場合には、ＯＳＤ処理部２６は、画像処理部２５から入力される画像情報を、そのまま画像補正部２７に出力する。
【００４２】
画像補正部２７は、投写面Ｓに対して斜め方向から画像を投写する場合に生じる台形歪を補正するための処理（台形歪補正処理）を行う。具体的には、画像補正部２７は、制御部２０の指示に基づいて、液晶ライトバルブ１２Ｒ，１２Ｇ，１２Ｂの画素領域１２ａ内に、台形歪を相殺可能な形状の画像形成領域（図示せず）を設定する。そして、この画像形成領域内に入力画像が形成されるように、ＯＳＤ処理部２６から入力される画像情報を補正するとともに、画像形成領域の外側の画素については、黒色の画素値、つまり、光透過率が最小となる画素値に設定する。画像補正部２７は、上記のように補正した画像情報を液晶駆動部２８に出力する。なお、制御部２０から画像を補正する旨の指示がない場合には、画像補正部２７は、ＯＳＤ処理部２６から入力される画像情報を、そのまま液晶駆動部２８に出力する。この場合には、画素領域１２ａの全域が画像形成領域となり、画素領域１２ａの全域で入力画像が形成される。
【００４３】
ユーザーは、操作パネル２２又はリモコン５０に備わる台形補正キー４７，５９を操作した後で、方向キー４４，５５を操作することにより、画像形成領域の形状を調整することができる。制御部２０は、ユーザーによって画像形成領域の形状が調整されると、調整後の形状を表す補正情報をＲＡＭ２０ｂに記憶するとともに、この補正情報を画像補正部２７に出力する。そして、画像補正部２７は、画像形成領域の形状を、補正情報に基づく形状、即ちユーザーによって調整された形状に設定し、これ以降、新たに設定された画像形成領域内に入力画像が形成されるように画像情報の補正を開始する。
【００４４】
液晶駆動部２８は、画像補正部２７から入力される画像情報に従って液晶ライトバルブ１２Ｒ，１２Ｇ，１２Ｂを駆動する。そして、これにより、液晶ライトバルブ１２Ｒ，１２Ｇ，１２Ｂは、画像情報に応じた画像を形成し、この画像が投写レンズ１３から投写される。
【００４５】
電源回路２９には、外部からＡＣ１００Ｖ等の商用電源が供給される。電源回路２９は、商用電源（交流電源）を所定の電圧の直流電源に変換して、プロジェクター１の各部に電力を供給する（供給経路については図示せず）。また、電源回路２９は、制御部２０の指示に基づいて、プロジェクター１の電源のオンとオフとを切り替えることができる。具体的には、電源回路２９は、画像の投写に必要な電力（動作電力）を各部に供給する状態（以降、「電源オン状態」とも呼ぶ。）と、動作電力の供給を停止して、電源をオンにするための操作を待機する状態（以降、「電源オフ状態」又は「スタンバイ状態」とも呼ぶ。）とを切り替えることができる。
【００４６】
光源制御部３０は、制御部２０の指示に基づいて、光源装置１１に対する電力の供給と停止とを制御し、光源装置１１の点灯及び消灯を切り替える。
【００４７】
レンズ駆動部３１は、例えば、ステッピングモーター等によって構成され、制御部２０の指示に基づいて、投写レンズ１３のフォーカス調整機構及びズーム調整機構を駆動する。そして、各レンズ群の光軸方向の位置関係を変化させることにより、投写画像のフォーカス状態及びズーム状態を変化させる。ユーザーは、リモコン５０に備わるフォーカス調整キー６０を操作することにより、フォーカス状態の調整を行うことが可能であり、リモコン５０に備わるズーム調整キー６１を操作することにより、ズーム状態の調整を行うことができる。
【００４８】
レンズ検出部３２は、制御部２０の指示に基づいて、投写画像のフォーカス状態及びズーム状態、即ち投写レンズ１３のフォーカス調整状態及びズーム調整状態を検出し、検出結果を制御部２０に出力する。レンズ検出部３２としては、レンズ（レンズ群）を移動させるための回転カム機構（図示せず）の回転量を検出するロータリエンコーダーやポテンショメーター等の検出手段を用いることができる。また、レンズ駆動部３１を構成するステッピングモーターのステップ数に基づいてフォーカス調整状態やズーム調整状態を検出する態様とすることも可能である。
【００４９】
フット駆動部３３は、制御部２０の指示に基づいてフロントフット４ａを駆動し、その突出量を変化させる。例えば、突出方向に沿ってラック（図示せず）が形成されたフロントフット４ａを、ピニオン（図示せず）の回転によって上下に移動させる構成では、フット駆動部３３は、このピニオンを回転駆動するステッピングモーター等によって構成される。ユーザーは、リモコン５０に備わるフット調整キー６２を操作することにより、フロントフット４ａの突出量を調整することができる。
【００５０】
フット検出部３４は、制御部２０の指示に基づいて、フロントフット４ａの突出量を検出し、検出結果を制御部２０に出力する。フット検出部３４としては、各種検出手段を用いてもよいし、フット駆動部３３を構成するステッピングモーターのステップ数に基づいて突出量を検出する態様とすることも可能である。
【００５１】
次に、プロジェクター１の画質調整処理について説明する。
上記のようなプロジェクター１が入力画像を投写している状態で、操作パネル２２又はリモコン５０に備わる画質調整キー４３，５４がユーザーにより操作されると、制御部２０は、ＯＳＤ処理部２６に指示をして、画質調整を行うためのメニュー画像Ｇｍ１（図６参照）を入力画像上に重畳して表示させる。
【００５２】
図６は、メニュー画像を示す説明図である。
図６に示すように、メニュー画像Ｇｍ１には、「カラーモード」、「明るさ」、「コントラスト」、「色の濃さ」、「色合い」、「シャープネス」の６つの調整項目名が上下方向に並んで表示されており、各調整項目名の右側には、それぞれの設定値（パラメーター）が併記されている。また、６つの調整項目の中の１項目（図６では、「カラーモード」）は、背景色が他の項目と異なっており、選択された状態であることを示している。
【００５３】
ここで、「カラーモード」とは、画像の種別や視聴環境等に応じて画質を調整するための項目であり、そのパラメーターとしては、例えば、明るい環境での視聴に適する「ダイナミック」や、薄明かりの中での視聴に適する「リビング」、暗い環境下で入力信号に忠実な画像を再現可能な「ナチュラル」、暗い環境下での映画鑑賞に適する「シアター」等がある。ユーザーは、これらの中から画像や視聴環境等に応じたカラーモードを選択することができる。また、「明るさ」、「コントラスト」、「色の濃さ」、「色合い」、「シャープネス」の各調整項目のパラメーターは数値で表され、所定の範囲内でパラメーターを増減することにより、それぞれの度合いを調整することができる。
【００５４】
メニュー画像Ｇｍ１が表示された状態では、ユーザーは、上下の方向キー４４，５５を操作することによって所望の項目を選択することができる。そして、所望の項目を選択した状態で決定キー４５，５６を操作することにより、項目の選択が確定し、当該項目のパラメーターを変更することができる。ここで、「カラーモード」が選択された場合には、制御部２０は、ＯＳＤ処理部２６に指示をして、カラーモード選択画像Ｇｍ２（図７参照）を重畳表示させ、いずれか１つのカラーモードをユーザーに選択させる。ユーザーは、上下の方向キー４４，５５によって所望のカラーモードを選択することが可能であり、その後で、決定キー４５，５６を操作することにより、カラーモードの選択が確定する。また、メニュー画像Ｇｍ１において「カラーモード」以外の５つの調整項目のいずれかが選択された場合には、制御部２０は、ＯＳＤ処理部２６に指示をして、数値調整画像Ｇｍ３（図８参照）を表示させ、ユーザーに数値の調整を行わせる。ユーザーは、左右の方向キー４４，５５によって数値を増減することができる。
【００５５】
上記の手順により、パラメーターが変更されると、制御部２０は、各調整項目のパラメーター、即ち画質調整に関わる６つパラメーター（以降、「画質パラメーター」とも呼ぶ。）を、ＲＡＭ２０ｂに記憶するとともに、画像処理部２５に出力する。そして、画像処理部２５は、入力されるパラメーターに基づいて、ＬＵＴ（Look Up Table）を用いたデータ変換や、デジタルフィルターを用いたフィルター処理等、画像情報に対する画質調整処理を開始する。
【００５６】
また、図６に示すように、メニュー画像Ｇｍ１には、６つの調整項目の下側に、「メモリー登録」と表記された項目が設けられており、この項目を選択することによって、変更後の画質パラメーターを記憶部２１に記憶（登録）することができるようになっている。ユーザーが上下の方向キー４４，５５を操作して「メモリー登録」の項目を選択した後、決定キー４５，５６を操作すると、制御部２０は、ＯＳＤ処理部２６に指示をして、メモリー登録選択画像Ｇｍ４（図９参照）を重畳表示させる。
【００５７】
図９に示すように、メモリー登録選択画像Ｇｍ４には、「リモコン０」〜「リモコン９」の１０個の登録名がマトリクス状に並んで表示されており、ユーザーは、上下左右の方向キー４４，５５によっていずれか１つの登録名を選択することができる。ユーザーがいずれか１つの登録名を選択した後で決定キー４５，５６を操作すると、制御部２０は、画質パラメーターを、選択された登録名に対応付けて記憶部２１に登録する。ここで、各登録名において「リモコン」の文字に添えられている数字は、リモコン５０の識別情報に対応する数字である。つまり、画質パラメーターは、リモコン５０の識別情報に対応付けられて登録される。
【００５８】
また、メニュー画像Ｇｍ１において「メモリー登録」の項目を選択する際の操作が、操作パネル２２ではなくリモコン５０を用いて行われた場合には、制御部２０は、受信部２３が受信したリモコン信号に含まれている識別情報を認識し、この識別情報に対応する登録名を選択した状態でメモリー登録選択画像Ｇｍ４を表示させる。例えば、識別情報が「３」のリモコン５０を用いて「メモリー登録」の項目が選択された場合には、図９に示すように、「リモコン３」が選択された状態でメモリー登録選択画像Ｇｍ４が表示される。このため、操作しているリモコン５０の識別情報に対応付けて登録を行う場合には、メモリー登録選択画像Ｇｍ４において登録名を選択する必要はなく、決定キー４５，５６を操作するだけで済む。なお、「メモリー登録」の項目を選択する操作がリモコン５０で行われた場合において、メモリー登録選択画像Ｇｍ４を表示することなく、即ちユーザーに登録名を選択させることなく、操作を行ったリモコン５０の識別情報に対応付けて登録するようにしてもよい。
【００５９】
また、本実施形態では、画質パラメーターを登録する際に、制御部２０は、その時点における投写レンズ１３のフォーカス調整状態及びズーム調整状態、フロントフット４ａの突出量、台形歪を補正するための補正情報（設定された画像形成領域の形状）も、識別情報に対応付けて登録する。具体的には、制御部２０は、レンズ検出部３２に指示をして、投写レンズ１３のフォーカス調整状態とズーム調整状態とを検出させ、その検出結果を取得するとともに、フット検出部３４に指示をして、フロントフット４ａの突出量を検出させ、その検出結果を取得する。そして、制御部２０は、これらの検出結果を表す情報、即ちフォーカス調整状態を表すフォーカス情報、ズーム調整状態を表すズーム情報、及びフロントフット４ａの突出量を表すフット情報に、ＲＡＭ２０ｂに記憶されている台形歪の補正情報及び画質パラメーターを加えた１組の設定情報を、識別情報に対応付けて登録する。つまり、記憶部２１は、１０組の設定情報を登録可能になっている。
【００６０】
次に、プロジェクター１の起動時の動作について説明する。
プロジェクター１に商用電源が供給されると、電源回路２９は、制御部２０、記憶部２１、操作パネル２２、及び受信部２３に電力（スタンバイ電力）の供給を行い、制御部２０は、この電力供給を受けて、制御プログラムに従った動作を開始する。商用電源が供給された直後には、プロジェクター１は、電源オフ状態（スタンバイ状態）であり、光源装置１１を消灯させた状態で、電源をオンにするための操作、即ち、操作パネル２２又はリモコン５０に備わる電源キー４１，５２の操作を待機する。
【００６１】
ここで、ユーザーがリモコン５０を用いて電源をオンにした場合、即ちリモコン５０の電源キー５２を操作した場合には、制御部２０は、上記のようにして登録された設定情報のうち、操作されたリモコン５０の識別情報に対応する設定情報を記憶部２１から読み出し、この設定情報に基づいてプロジェクター１の各種状態を復元する。
【００６２】
図１０は、スタンバイ状態におけるプロジェクター１の動作を説明するフローチャートである。
図１０に示すように、まず、ステップＳ１０１では、制御部２０は、電源をオンにするための操作（オン操作）を受け付けたか否かを判断する。そして、オン操作を受け付けた場合、即ち操作パネル２２の電源キー４１が操作されるか、或いは、電源のオンとオフとを切り替えるためのリモコン信号を受信部２３がリモコン５０から受信した場合にはステップＳ１０２に移行する。一方、オン操作を受け付けていない場合には、制御部２０は、オン操作がなされるまで本ステップを繰り返す。
【００６３】
オン操作を受け付けてステップＳ１０２に移行すると、制御部２０は、電源回路２９に電源をオンにするための処理を行わせる。具体的には、制御部２０は、電源回路２９に指示をして、各部への動作電力の供給を開始させ、プロジェクター１を電源オン状態に移行させる。そして、ステップＳ１０３では、制御部２０は、光源制御部３０に指示をして光源装置１１を点灯させ、画像の投写が可能な状態とする。
【００６４】
ステップＳ１０４では、制御部２０は、ステップＳ１０１で受け付けたオン操作がリモコン５０によってなされたものであるか否かを判断する。そして、リモコン５０によってなされた場合、即ちリモコン５０の電源キー５２がユーザーによって操作され、電源のオンとオフとを切り替えるためのリモコン信号を受信部２３が受信した場合にはステップＳ１０５に移行する。一方、操作パネル２２によってなされた場合、即ち操作パネル２２の電源キー４１が操作された場合にはステップＳ１０８に移行する。
【００６５】
リモコン５０によってオン操作がなされてステップＳ１０５に移行した場合には、制御部２０は、オン操作時に受信部２３が受信したリモコン信号に基づいて、オン操作を行ったリモコン５０の識別情報を認識する。そして、ステップＳ１０６では、制御部２０は、記憶部２１に登録されている設定情報の中から、認識した識別情報に対応する設定情報を読み出す。
【００６６】
ステップＳ１０７では、制御部２０は、読み出した設定情報に基づいてプロジェクター１の設定を行い、フローを終了する。つまり、制御部２０は、設定情報を記憶部２１に登録したときのプロジェクター１の状態を復元する。具体的には、制御部２０は、設定情報に含まれるフォーカス情報及びズーム情報に基づいて、レンズ駆動部３１に投写レンズ１３のフォーカス調整機構及びズーム調整機構を駆動させ、投写レンズ１３のフォーカス調整状態及びズーム調整状態、即ち投写画像のフォーカス状態及びズーム状態を復元する。また、制御部２０は、設定情報に含まれるフット情報に基づいて、フット駆動部３３にフロントフット４ａを駆動させ、フロントフット４ａの突出量を復元する。さらに、制御部２０は、設定情報に含まれる画質パラメーターを画像処理部２５に出力して、入力画像の画質設定を復元するとともに、設定情報に含まれる補正情報を画像補正部２７に出力して、画像形成領域の形状を復元する。
【００６７】
一方、ステップＳ１０４にて、オン操作が操作パネル２２によってなされてステップＳ１０８に移行した場合には、制御部２０は、プロジェクター１を所定の初期状態（デフォルトの状態）に設定し、フローを終了する。なお、電源をオフにするための操作（オフ操作）がなされた際に、その時点における設定情報を記憶部２１に記憶するようにして、操作パネル２２によってオン操作がなされた場合に、前回のオフ操作時の状態を復元するようにしてもよい。
【００６８】
以上説明したように、本実施形態のプロジェクター１よれば、制御部２０は、オン操作時にリモコン５０から受信したリモコン信号に基づいて、このリモコン信号に含まれる識別情報を認識する。そして、制御部２０は、記憶部２１に登録されている１０組の設定情報のうち、認識した識別情報に対応する設定情報に基づいて、プロジェクター１の設定を行う。このため、１つのプロジェクター１を複数の場所（部屋）で使用する態様において、使用する場所毎に識別情報が異なるリモコン５０を用意しておくとともに、その場所に適した設定を識別情報に対応付けて記憶部２１に登録しておけば、プロジェクター１の各種状態を、それぞれの場所に適した状態に容易に設定することが可能になる。具体的には、ユーザーは、各部屋に配置されているリモコン５０を用いてオン操作を行うだけでよくなる。
【００６９】
なお、本実施形態において、ステップＳ１０７を実行してプロジェクター１の設定を行う際の制御部２０が設定部に相当し、設定情報を記憶部２１に登録する際の制御部２０が登録部に相当する。また、画質パラメーターが画像の画質を調整するための情報に相当し、フォーカス情報が画像のフォーカス状態を調整するための情報に相当し、ズーム情報が画像のズーム状態を調整するための情報に相当し、補正情報が画像の台形歪を補正するための情報に相当し、フット情報が画像の投写位置を調整するための情報に相当する。また、ステップＳ１０１が受信ステップに相当し、ステップＳ１０７が設定ステップに相当する。
【００７０】
（変形例）
また、上記実施形態は、以下のように変更してもよい。
【００７１】
上記実施形態では、リモコン５０でオン操作（電源キー５２の操作）を行った際に、プロジェクター１の設定を復元するようにしているが、プロジェクターの設定を復元するタイミングは、オン操作時に限定されず、他の操作を行ったタイミングであってもよい。例えば、リモコン５０に、プロジェクター１の設定を復元するための操作キーを設けて、この操作キーが操作された際に復元するようにしてもよい。
【００７２】
上記実施形態では、リモコン５０は、ユーザーによって操作キーが操作されると、操作内容を表す操作情報に識別情報を付加して送信するようにしているが、特定の操作キーが操作された場合にのみ識別情報を送信するようにして、他の操作キーが操作された際には、識別情報を送信しない態様にすることも可能である。
【００７３】
上記実施形態では、フロントフット４ａの突出量に応じて、画像の投写位置を上下方向に調整できるようになっているが、投写レンズ１３を、投写方向（光軸方向）に垂直な方向に移動させることによって、投写位置を上下左右に調整することが可能な電動式のレンズシフト機構を備えた構成にすることも可能である。そして、このレンズシフト機構の調整状態を設定情報として記憶部２１に登録するとともに、これを復元できるようにしてもよい。
【００７４】
上記実施形態では、メニュー画像Ｇｍ１において「メモリー登録」の項目が選択された場合に設定情報を記憶部２１に登録するようにしているが、設定情報を登録するタイミングは、これに限定されない。例えば、プロジェクター１の電源をオフにするための操作（オフ操作）がリモコン５０を用いてなされた場合に、操作を行ったリモコン５０の識別情報に対応付けて設定情報を登録するようにしてもよい。また、設定情報を登録するための操作キーをリモコン５０に設け、この操作キーが操作された場合に登録を行うようにしてもよい。
【００７５】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００７６】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７７】
上記実施形態では、光源装置１１は、放電型の光源ランプ１１ａによって構成されているが、ＬＥＤ（Light Emitting Diode：発光ダイオード）光源やレーザー光源等の固体光源、或いはその他の光源に適用することもできる。
【符号の説明】
【００７８】
１…プロジェクター、２…筐体、２ｆ…前面、２ｒ…背面、２ｔ…上面、３…開口部、４…フット、４ａ…フロントフット、１０…画像投写部、１１…光源装置、１１ａ…光源ランプ、１１ｂ…リフレクター、１２Ｒ，１２Ｇ，１２Ｂ…液晶ライトバルブ、１２ａ…画素領域、１３…投写レンズ、２０…制御部、２０ａ…ＣＰＵ、２０ｂ…ＲＡＭ、２１…記憶部、２２…操作パネル、２３…受信部、２４…画像情報入力部、２５…画像処理部、２６…ＯＳＤ処理部、２７…画像補正部、２８…液晶駆動部、２９…電源回路、３０…光源制御部、３１…レンズ駆動部、３２…レンズ検出部、３３…フット駆動部、３４…フット検出部、４１…電源キー、４２…入力切替キー、４３…画質調整キー、４４…方向キー、４５…決定キー、４６…取消キー、４７…台形補正キー、５０…リモコン、５１…筐体、５２…電源キー、５３…入力切替キー、５４…画質調整キー、５５…方向キー、５６…決定キー、５７…取消キー、５８…数字キー、５９…台形補正キー、６０…フォーカス調整キー、６１…ズーム調整キー、６２…フット調整キー、６３…設定キー、７０…制御部、７１…記憶部、７１ａ…識別情報記憶部、７２…入力検出部、７３…送信部、Ｇｍ１…メニュー画像、Ｇｍ２…カラーモード選択画像、Ｇｍ３…数値調整画像、Ｇｍ４…メモリー登録選択画像、Ｓ…投写面。
【図１】
2011203517.tif 000003
【図２】
2011203517.tif 000004
【図３】
2011203517.tif 000005
【図４】
2011203517.tif 000006
【図５】
2011203517.tif 000007
【図６】
2011203517.tif 000008
【図７】
2011203517.tif 000009
【図８】
2011203517.tif 000010
【図９】
2011203517.tif 000011
【図１０】
2011203517.tif 000012